(57)【要約】【課  題】本発明は、インビトロでの気相内での揮発性物質の濃度差を減らし、試料からの揮発性物質を捕集系ＳＰＭＥの捕集用のファイバーに十分吸着させ、より多い成分の吸着によって早く測定ができる装置及び方法を提供することを目的とする。【解決手段】気相中の揮発性物質を測定する装置において、気流を発生させる回転体と、該回転体を収納した小容器と、該小容器に設けた通風孔とを有し、分析試料を入れる試料容器に該小容器を入れて該回転体を回転することで試料容器内に対流を生じさせる装置及び方法を提供する。【選択図】  図１
2004309445.tif 000002
【特許請求の範囲】
【請求項１】
インビトロでの気相中の揮発性物質を測定する装置において、気流を発生させる回転体と、該回転体を収納した小容器と、該小容器に設けた通風孔とを有し、分析試料を入れる試料容器に該小容器を入れて該回転体を回転することで試料容器内に対流を生じさせることを特徴とする対流装置。
【請求項２】
回転体は両端に設けた羽根、中央部に内臓した磁石、中央部に突起部を有することを特徴とする請求項１記載の対流装置。
【請求項３】
小容器の内部の中央部には凹部が設けられていることを特徴とする請求項２記載の対流装置。
【請求項４】
インビトロでの気相中の揮発性物質を測定する方法において、試料容器に気流を発生させる回転体を収納した小容器を置き、該小容器上に試料を置き、該回転体を回転させて試料容器内に対流を生じさせて測定することを特徴とする方法。
【発明の詳細な説明】
【０００１】
【発明の属する技術分野】
本発明は、試料から発生する気相中の揮発性物質を測定するインビトロでの測定装置及び方法に関する。
【０００２】
【従来の技術】
従来のインビトロでの測定装置は、試料容器内に分析試料を入れ、該試料から自然に放出される揮発性物質をそのまま捕集系ＳＰＭＥの捕集用のファイバーに吸着させ測定するものがある。（例えば、特許文献１参照。）
【０００３】
以下、図７により従来の測定装置について説明する。図において、８は試料容器、９は捕集系ＳＰＭＥでガイド１０と捕集用のファイバー１０ａを有していて、１１は分析用の試料である。従来は、単に試料容器８内に試料１１を入れ、該試料１１から自然に放出される揮発性物質をそのまま捕集系ＳＰＭＥ９の捕集用のファイバー１０ａに吸着させ測定するものであった。
【０００４】
【特許文献１】特表２００１−５２３８２０号公報（第１２頁、図６）
【０００５】
このような装置及び方法では、試料からの揮発性物質が気相内で濃度差を生じて、十分な測定ができないものであり、測定に時間を要するものであった。
【０００６】
【発明が解決しようとする課題】
本発明は、従来技術にある前記課題を解決するためのものであり、気相内での揮発性物質の濃度差を減らし、試料からの揮発性物質を捕集系ＳＰＭＥの捕集用のファイバーに十分吸着させ、より多い成分の吸着によって早く測定ができる装置及び方法を提供することを目的とする。
【０００７】
【課題を解決するための手段】
前記課題を解決するために、請求項１に係る発明は、気流を発生させる回転体と、該回転体を収納した小容器と、該小容器に設けた通風孔とを有し、分析試料を入れる試料容器に該小容器を入れて該回転体を回転することで試料容器内に対流を生じさせる装置を提供する。
【０００８】
請求項２に係る発明は、回転体は両端に設けた羽根、中央部に内臓した磁石、中央部に突起部を有する装置を提供する。
【０００９】
請求項３に係る発明は、小容器の内部の中央部には凹部が設けられた装置を提供する。
【００１０】
請求項４に係る発明は、試料容器に気流を発生させる回転体を収納した小容器を置き、該小容器上に試料を置き、該回転体を回転させて試料容器内に対流を生じさせて測定する方法を提供する。
【００１１】
【発明の実施の形態】
本発明は、インビトロでの気相中の揮発性物質を測定する装置及び方法を提供する。
【００１２】
本発明を実施するには、気流を発生させる回転体を設け、該回転体を収納する小容器を設け、該小容器を試料容器に入れる。
【００１３】
回転体は両端に設けた羽根、中央部に内臓した磁石、中央下部に突起部から成っていて、該突起部は小容器の凹部に嵌合して安定的に回転し、気流を発生できる。
【００１４】
小容器には通風孔が複数設けてあり、回転体が生ずる気流が試料容器内に出入りすることで、対流を生じさせることができる。
【００１５】
試料容器の外からモータで磁性体若しくは磁石を回転させ、回転体に内臓する磁石を追随させることで回転体を回転させることができる。
【００１６】
回転体自身に、オイルフリーモータを内臓し、自力回転する構造とすることもできる。
【００１７】
本発明は、このような装置を用いて、揮発成分分析の効率を高める方法を提供する。
【００１８】
試料容器に気流を発生させる回転体を収納した小容器を置き、該小容器上に分析試料を置き、該回転体を回転させて試料容器内に気流を発生させ対流を生じさせて、試料からの揮発性物質を効率良く吸着させる。
【００１９】
対流により揮発性物質は試料容器内を循環し、ＳＰＭＥファイバーに効率よく付着し、測定することができる。
【００２０】
該装置の構成については、以下の実施例において詳述する。
【００２１】
【実施例】
本実施例では、図１乃至図６を参照しながら、分析試料からの揮発物質を測定する装置について説明する。
【００２２】
図１で説明すると、該装置は、ビーカーで成る試料容器８に、小容器１を入れたものから成り、蓋１６を着脱可能となっている。
【００２３】
蓋１６は捕集系ＳＰＭＥ９のガイド１０を挿入できるようになっており、ガイド１０を通じて捕集用のファイバー１０ａが出入り可能となっている。
【００２４】
図２で説明すると、小容器１は、磨耗の少ないガラス若しくはステンレスから成り、上下に分かれて開けられる構造で、上部蓋側の片方拠りに網目状の通風孔２を設け、側面にも網目状の通風孔３を設けてある。
【００２５】
図３は小容器１の内部であり、中央に凹部７を設けてある。
【００２６】
図４で回転体４を説明すると、両端の羽根４ａと中央部の磁石５をボルトナット４ｂで固着し、中央下部にガラス若しくはステンレスから成る突起６を固着して設けてある。
【００２７】
図５は小容器１に回転体４を収納した断面図であり、回転体４の突起６を小容器１の凹部７に対応させた状態である。
【００２８】
図６は小容器１に回転体４を収納した内部平面図であり、回転体４の回転状態を示し、矢印方向に回転することで上方へ気流を発生する。
【００２９】
該装置はこの上記構造となっており、揮発物質の測定方法を以下に説明する。
【００３０】
図１において、試料容器８に回転体４を収納した小容器１を入れ、小容器１の上に昆虫等の試料１１を乗せる。次に、蓋１６を着けて捕集系ＳＰＭＥ９のガイド１０を挿入し、捕集用のファイバー１０ａを出して準備する。
【００３１】
さらに、試料容器８の下にマグネティックスターラ１２を置いて、マグネティックスターラ１２に内臓するモータ１４を回転させる。
【００３２】
モータ１４が回転するとモータ軸１５に取付けた回転部１３が回転して、小容器１内の回転体４の磁石５が追随回転することで、羽根４ａによる気流が発生する。
【００３３】
小容器１内の気流は通風孔２から流れ出て、試料容器８内を上昇し、蓋１６に当って反対側へ流れ、試料容器８の側面に当り下降する。下降した気流の一部は通風孔３から小容器１の中に流れ込み、一部は小容器１上部を流れて試料１１に当り揮発物質の対流を促す。
【００３４】
このように回転体４により生じた気流によって、試料容器８内に対流を生じさせることで、試料の揮発物質は十分に捕集用のファイバー１０ａに届いて吸着が行われ、測定が効率良く進むことになる。
【００３５】
以上は一実施例であり、回転体４の羽根４ａと磁石５の固着はボルトナットに限らず、カシメ若しくは羽根４ａに穴を設けて磁石５を圧入とする固着等でもよい。回転体４の羽根４ａはプロペラ形状に限らず、斜めに切り起した突起形状を複数設けることでもよい。
【００３６】
試料容器８はビーカーに限らず、大型の試料用に相応の大きさの容器とし、小容器１及び回転体４も相応な大きさとすることも可能である。小容器１の数は試料の形状や量若しくは試料容器８との相対的な大きさにより、複数用いることも可能である。
【００３７】
【発明の効果】
本発明によれば、気相中の揮発物質を試料容器８内で簡便に対流させることができることになり、気相内での揮発性物質の濃度差を減らし、試料１１からの揮発性物質をファイバー１０ａに十分吸着させ、より多い成分の吸着による正確でしかも早く測定ができることになる。
【図面の簡単な説明】
【図１】本発明の装置の構造及び作用説明図。
【図２】小容器の概観図。
【図３】小容器の内部平面図。
【図４】回転体の概観図。
【図５】回転体を収納した小容器の断面図。
【図６】回転体を収納した小容器の内部平面図。
【図７】従来例の説明図。
【符号の説明】
１  小容器
２、３  通風孔
４  回転体
５  磁石
６  突起
７  凹部
８  試料容器
９  捕集系ＳＰＭＥ
１１  試料
１２  マグネティックスターラ
【図１】
2004309445.tif 000003
【図２】
2004309445.tif 000004
【図３】
2004309445.tif 000005
【図４】
2004309445.tif 000006
【図５】
2004309445.tif 000007
【図６】
2004309445.tif 000008
【図７】
2004309445.tif 000009